【事件の表示】
　特願２０００−１４０２９６「遊技機」拒絶査定不服審判事件〔平成１３年１１月２０日出願公開、特開２００１−３２１４９２〕について、次のとおり審決する。
【結　論】
　本件審判の請求は、成り立たない。
【理　由】
１．手続の経緯
　本願は、平成１２年５月１２日の出願であって、平成１５年７月３日付けの拒絶理由通知に対し平成１５年９月３日付けで手続補正がなされ、平成１５年１０月２３日付けの拒絶理由通知に対し平成１５年１１月２０日付けで手続補正がなされたが、平成１５年１２月１９日付けで補正却下がなされ、同日付けで拒絶査定がなされ、これに対し、平成１６年１月２１日に拒絶査定に対する審判請求がなされると共に、手続補正がなされたものである。
　
２．平成１６年１月２１日付けの手続補正（以下、「本件補正」という。）についての補正却下の決定
［補正却下の決定の結論］
　平成１６年１月２１日付けの手続補正を却下する。
［理由］
（１）本件補正の内容
　本件補正により、特許請求の範囲の請求項１は、次のように補正された。
　「遊技動作に関連する抽選を行って遊技者に有利な状態と不利な状態とを択一的に決定する抽選機能を有する主制御手段と、この主制御手段とは別の制御基板に構成され且つ主制御手段から送信される制御信号に応じた遊技動作の制御を行う副制御手段とを備えた遊技機において、
　停電により主電源が絶たれた後の復帰時に主電源が復帰したことを自動的に報知するとともに、遊技再開を促す情報も報知する報知手段と、
　前記報知手段による報知開始からの経過時間を計時するタイマーを有し、このタイマーにより所定時間を計時したときに自動的に前記報知手段に前記の報知を停止させる報知停止手段と、
　を備えたことを特徴とする遊技機。」
　
　上記補正は、平成１５年９月３日付け手続補正書の請求項１に記載した発明を特定するために必要な事項である「停電により主電源が断たれた後の復帰時に主電源が復帰したことを報知する報知手段」を、「停電により主電源が絶たれた後の復帰時に主電源が復帰したことを自動的に報知するとともに、遊技再開を促す情報も報知する報知手段」と変更するものであるが、「報知する」を「自動的に報知するとともに、遊技再開を促す情報も報知する」と限定したものと認められるから、この補正事項は、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例１に記載の発明
　原査定の拒絶の理由に引用された、本願の出願の日前である平成３年１１月５日に頒布された特開平３−２４７３７６号公報（以下「引用例１」という。）には、以下の事項が記載されている。
　
　記載事項１；「特定入賞装置１０８又は特定入賞口１０９に遊技球が入賞する度に上記動作が繰り返され、入賞空間５１が第２状態となっている間に、遊技球が偶発的に変動入賞装置５０内の特別入賞口５４に入賞すると、それが特別入賞口５４内に設置された特別入賞検出器５４ａ（ＳＷ３）によって検出され、その検出信号に基づいて大当りと呼ばれる特別遊技状態が発生する。
　ここに、特別遊技状態とは、通常遊技状態に比べ、遊技者に多くの賞球獲得のチャンスを与える遊技状態で、…」（第５ページ左上欄第１０−２０行）
　
　記載事項２；「この賞球排出制御装置６００は、パチンコ遊技機１０の裏側に取り付けられる制御基盤６１０に賞球排出制御に関与するマイクロコンピュータ等の各種電子部品や電子回路等が配設されて構成され、…
　一方、役物制御装置５００は、役物制御基盤５１０上にパチンコ遊技機１０の役物等の制御を行なうマイクロコンピュータ５２０等の各種電子部品や電子回路が設置されるとともに接続コネクタ５８５が複数設置されて構成されている。」（第１４ページ左上欄第１７行−左下欄第１８行）
　
　記載事項３；「第１５図には前記役物制御装置５００による役物制御系の制御ブロック図を示す。
　この役物制御装置５００は、役物系統の制御に関与するマイクロコンピュータ（ＭＰＵ）５２０、…外部電源（主電源２０）からの電源電圧を作動用電源用に変換して役物制御装置５００のマイクロコンピュータ５２０等の各作動部に供給する電源回路５８０等から成る。
　前記マイクロコンピュータ５２０は…入力ポートバッファ５２４、…等を具えている。…
　そして、このマイクロコンピュータ５２０の入力ポートバッファ５２４には、…変動入賞装置５０内の特別入賞検出器ＳＷ３、…等が接続されている。…
　電源回路５８０と主電源２０との接続点には更に電源監視回路５９０が接続され、主電源２０からの電力の供給状態が監視できるようになっている。…
　役物制御装置５００は、上記のように構成されていて、始動入賞検出器ＳＷ１，ＳＷ１，ＳＷ２、特別入賞検出器ＳＷ３、カウントセンサ５８、発射モータ１５１からの信号がローパスフィルタ５３１を介してマイクロコンピュータ５２０に送られてくると、マイクロコンピュータ５２０がその送られてきた信号の種類に対応した出力信号を第１ドライバ５３２、第２ドライバ５３４、アンプ５３３に送るようになっている。このとき前記第１ドライバ５３２は、遊技状態表示器（情報ユニット）４３１に、通常遊技状態表示、補助遊技状態表示、特別遊技状態表示の表示等を行わせるべく駆動信号を該遊技状態表示器（情報ユニット）４３１に送るようになっている。
　また、前記第２ドライバ５３４はソレノイド５０ａに変動入賞装置５０の可動部材５３を駆動させたり、変動入賞装置５０に配設されたアンプ５０，発光ダイオード（ＬＥＤ）を遊技状態に応じて点滅させたりする。」（第１６ページ左下欄第５行−第１７ページ右下欄第１２行）
　
　記載事項４；「第１６図には賞球排出制御装置６００によるパチンコ遊技機１０の賞球排出制御系統の制御ブロック図を示す。
　賞球排出制御装置６００はパチンコ遊技機１０の賞球排出系統の制御を行なうもので、賞球排出系統の制御を行なうマイクロコンピュータ（ＭＰＵ）６２０、…等から成る。
　前記マイクロコンピュータ６２０は読出し専用メモリたるＲＯＭ６２１、随時読出しと書込みが可能なメモリたるＲＡＭ６２２、…等を具えている。…
　一方、ＲＡＭ６２２には、ローパスフィルタ６３１を介して送られてくる…、遊技盤又は役物制御装置等に設置される賞球数設定器５３０からの賞球設定数の情報信号などを一時的に記憶したりする記憶領域、…などが設けられている。…
　賞球排出制御装置６００は、上記のように構成されていて、賞球数設定器５３０からの信号がローパスフィルタ６３１を介してマイクロコンピュータ６２０に送られてくると、マイクロコンピュータ６２０はその送られてきた信号の種類に対応した出力信号をドライバ６３２に送って、入賞球数表示器６１３（第１２図），排出残球有表示器（ランプユニット）４４５（第７図）のうちの対応する表示器を点灯させたり、賞球排出ソレノイド７４１，７４１，シャッターソレノイド９１０、ロックソレノイド７２１等の各種ソレノイドのうちの対応するソレノイドを作動させり、或いは、完了ランプ２７１を点灯させたり、セーフランプ２７２を点灯させたりする。」（第１７ページ右下欄第１８行−第１８ページ左下欄第１６行）
　
　記載事項５；「第２９図は、前述した賞球排出制御装置のメインルーチン（第１７図）のステップＳ２２で実行される排出開始処理のサブルーチンを示すフローチャートである。
　このサブルーチンは、１つの入賞球（セーフ球）に対して１回行われる所定数の賞品球の排出を行なうに当り、上記所定数（賞球設定数）の賞品球を、２条設けられた第１及び第２の賞球導出樋７１０，７１０（第６図、第９図）の一方から幾つ排出し、他方から一つ排出するか等排出の態様を予め決定すると共に、排出ソレノイド１及び／又は排出ソレノイド２を励磁（ＯＮ）して上記態様に従った賞品球の排出を開始させておくものである。
　本ルーチンが開始されると、…
　ステップＳ１０６では、賞球排出制御装置６００に接続された賞球設定器５３０（第１６図参照）に予め記憶されている賞球設定数を排出レジスタ０に設定し、ステップＳ１０８で上記排出レジスタ０の値が「１」であるか否かが、続くステップＳ１１０で該排出レジスタ０の値が「８」以下であるか否かが夫々判別される。
　前記ステップＳ１０８の判別結果が“Ｙｅｓ”、即ち排出レジスタ０の値が「１」のときには、１個排出フラグを“１”に設定し（ステップＳ１１２）、交互排出フラグを“０”に設定し（ステップＳ１１４）、更に後述の１個排出処理（第３３図）で用いられる１個排出タイマを所定値にセットして（ステップＳ１１６）、ステップＳ１２２の反転フラグ処理を行なう。…
　第２９図に戻り、前記ステップＳ１０８の判別結果が“Ｎｏ”、前記ステップＳ１１０の判別結果が“Ｙｅｓ”、即ち上記排出排出レジスタ０の値が「２」以上「８」以下の値であるときには、１個排出フラグを“０”に設定し（ステップＳ１１８）、交互排出フラグを“１”に設定して（ステップＳ１２０）、ステップＳ１２２の反転フラグ処理を行なう。…
　又、前記ステップＳ１０８，Ｓ１１０の判別結果が共に“Ｎｏ”のとき、即ち賞球排出数が９以上のときには、後述する排出数分割処理（第３１図）を行なった後（ステップＳ１３０）、１個排出フラグを“０”に設定し（ステップＳ１３２）、交互排出フラグを“０”に設定し（ステップＳ１３４）、さらに、後述の併用排出処理にて用いられる排出１終了フラグ，排出２終了フラグの値を“０”のリセットする（ステップＳ１３６，ステップＳ１３８）と共に排出ソレノイド１、排出ソレノイド２を共に励磁（ＯＮ）して（ステップＳ１４０，ステップＳ１４２）、ステップＳ１４４以降に進む。」（第３２ページ左下欄第１８行−第３４ページ左上欄第７行）
　
　記載事項６；「これらのＲＥＳＥＴ処理は主電源２０から電源電圧が供給されている限り所定時間経過毎に繰返し実行される。
　斯るＲＥＳＥＴ処理中に、停電が発生して後述の役物制御装置側のパワーダウン処理（第３８図）が実行され（該処理により停電フラグは“１”に設定される）、その後通常の電力供給状態に復帰（停電復帰）し、ＲＥＳＥＴ処理が再開されると、前記ステップＳ３００２の判別が“Ｙｅｓ”に転じ、ステップＳ３０３０〜Ｓ３０５４による停電後の復帰処理が行なわれる。
　この復帰処理は、前述の補助遊技状態又は特別遊技状態中に停電が発生して上記遊技状態が中断してしまった場合であっても、停電復旧後に、停電発生時の遊技状態を再現し、もって遊技者に停電による不利益を与えないようするものである。
　先ず、ステップＳ３０３０で補助遊技フラグが“１”であるか否かが判別され、次いでステップＳ３０３２で特別遊技フラグが“１”であるか否かが判別される。
　これらステップＳ３０３０，Ｓ３０３２の判別結果が共に“Ｎｏ”、即ちパチンコ遊技機が停電発生時に補助遊技状態、特別遊技状態の何れの状態でもなかった（通常遊技状態）と判断されたときには、停電フラグを“０”にリセットする（ステップＳ３０３４）と共に、停電中に後述のパワーダウン割込み処理のステップＳ３１１４で行なわれる情報表示装置４００による通常遊技表示を終了（ＯＦＦ）して（ステップＳ３０３６）、前述のステップＳ３００４の判別を行ない（この場合、判別結果は“Ｎｏ”となる）、更に前記ステップＳ３００６以降の処理を行なう。
　一方、前記ステップＳ３０３０，Ｓ３０３４の何れか一方の判別結果が“Ｙｅｓ”、即ち停電発生時にパチンコ遊技機が補助遊技状態、特別遊技状態の何れかの遊技状態であったときにはステップＳ３０３８に進んで、この時点で発射モータ１５１が作動（ＯＮ）しているか否かが判別される。この判別結果が“Ｎｏ”、即ち停電復帰後遊技者が未だ遊技を始めていないときにはステップＳ３０４０以降の処理を実行することなく、今回ループでの処理を終了する。斯るステップＳ３００２，Ｓ３０３０（又はステップＳ３０３０，Ｓ３０３２）、Ｓ３０３８の処理は停電復帰後発射モータが作動（ＯＮ）するまで繰返し行なわれる。
　次回以降のループにおいて前記ステップＳ３０３８の判別結果が“Ｙｅｓ”に転じると、停電フラグが“０”にリセットされ（ステップＳ３０４０）、その後、停電発生時に補助又は特別遊技状態であったパチンコ遊技機の遊技が再開されたことを示すべくウェイトフラグが“１”に設定される（ステップＳ３０４２）。次いでステップＳ３０４４にて補助遊技状態又は特別遊技状態の再現を発射モータ１５１の作動開始後所定時間（遊技球が発射された後入賞口に到達するまでの時間に相当する時間）が経過するまで保留するためのウェイトタイマを所定値（例えば２ｓｅｃ）に設定して、今回ループの処理を終了する。…
　この結果、補助遊技状態又は特別遊技状態の途中に停電が発生して当該遊技状態が中断した場合であっても、停電復帰後所望のタイミング（復旧後初めて発射された遊技球が遊技盤３００の入賞口近傍に達するタイミング）で、停電前の遊技状態が再現されることになる。」（第４１ページ左下欄第１４行−第４２ページ右下欄第７行）
　
　記載事項７；「次に、上述した役物制御装置５００による役物制御の処理の途中で停電が発生し、主電源２０からの電力供給が停止した場合に行なわれる役物制御装置側のパワーダウン割込処理について第３８図を参照して説明する。
　このパワーダウン割込み処理は、主電源からの電源電圧の供給状態を常時監視する停電監視回路５９０からの信号が停電状態を示したときに、それまで行なわれたリセット処理（第３７図）に代えて役物制御装置のＭＰＵ５２０がその処理を開始するものである。
　先ず、停電の発生が電源監視回路５９０からの信号に基づいて検知されて本処理が開始されると、変動入賞装置５０に設置されたソレノイド５０ａ、ランプ５０ｂ、ＬＥＤ５０ｃ、スピーカ３６３等各種作動部への電力の供給が停止（出力ＯＦＦ）される（ステップＳ３１０２）。
　次のステップＳ３１０４では停電が発生したことを記憶すべく前述の停電フラグを“１”に設定し、その後、特別遊技フラグが“１”であるか否か（ステップＳ３１０６）、補助遊技フラグが“１”であるか否か（ステップＳ３１０８）が順次判別される。
　前記ステップＳ３１０６の判別結果が“Ｙｅｓ”、即ち停電発生時にパチンコ遊技機が特別遊技状態となっていたときには情報表示装置４００のメッセージボード（情報ユニット）４３１で特別遊技状態中に停電が発生した旨の表示を行ない（ステップＳ３１１０）、賞球排出制御装置にて行なわれるのと同様のスタンバイモードに移行する。
　一方、前記ステップＳ３１０８の判別結果が“Ｙｅｓ”、即ち停電発生時にパチンコ遊技機が補助遊技状態となっていたときには情報表示装置４００のメッセージボード（情報ユニット）４３１で補助遊技状態中に停電が発生した旨の表示を行ない（ステップＳ３１１２）、一方、前記ステップＳ３１０６，Ｓ３１０８の判別結果が共に“Ｎｏ”、即ち停電発生時にパチンコ遊技機が通常の遊技状態となっていたときには通常遊技状態中に停電が発生した旨の表示を行なって（ステップＳ３１１４）、それぞれスタンバイモードに移行する。」（第４２ページ右下欄第８行−第４３ページ右上欄第９行）
　
　記載事項８；「また、本実施例では、所謂ゼロ戦タイプの変動入賞装置（役物装置）が設置されたパチンコ遊技機に対して行われる停電処理時のバックアップ制御を処理説明したが、通常遊技状態以外の遊技状態を少なくとも１つ以上行なう変動入賞装置を具えるパチンコ遊技機であれば、如何なるタイプの遊技機（例えばフィーバータイプの入賞装置を具える遊技機）にも本実施例に係る停電時の賞球排出制御装置又は役物制御装置による処理は実行可能である。」（第４３ページ右下欄第１３行−第４４ページ左上欄第２行）
　
　前記摘示の記載によれば、引用例１には、以下の発明（以下、「引用発明１」という。）が記載されているものと認められる。
　「特別入賞検出器ＳＷ３からの信号に基づいて特別遊技状態を発生させる役物制御装置５００と、
　役物制御装置５００に設置される賞球数設定器５３０から送られる信号に基づいて賞品球の排出を行なう賞球排出制御装置６００とを備えたパチンコ遊技機において、
　停電が発生して役物制御装置側のパワーダウン処理が実行され、停電発生時にパチンコ遊技機が通常の遊技状態となっていたときには通常遊技状態中に停電が発生した旨の表示を行なって、その後停電復帰すると通常遊技表示を終了するパチンコ遊技機。」
　
（３）引用例２に記載の発明
　本願の出願の日前である平成７年８月１日に頒布された特開平７−１９４７９２号公報（以下「引用例２」という。）には、以下の事項が記載されている。
　
　記載事項９；「【０１２２】遊技不能化処理
図１９はメインルーチンにおけるステップＳ４３の遊技不能化処理のサブルーチンを示すフローチャートである。このサブルーチンが開始されると、まずステップＳ５００でアンラッキーフラグがオン（ＯＮ：セットのこと）しているか否かを判別する。アンラッキーフラグがオンしていなければ、今回のルーチンを終了してメインルーチンにリターンする。したがって、遊技は不能化されない。
【０１２３】一方、アンラッキーフラグがオンしていると、続くステップＳ５０２で遊技再開条件が成立しているか否かを判別する。遊技再開条件とは、アンラッキーナンバー図柄で大当りが発生した場合に、遊技を不能化し、一旦獲得球を景品に交換してから再度遊技の続行を許可するときの、再開条件をいう。具体的には、下記のような条件に設定されている。
ａ）アンラッキーナンバー図柄での大当り終了後、所定時間が経過したとき
ｂ）パチンコ機内の再開操作（例えば、係員によるキー入力）
ｃ）管理室からの再開指令
ｄ）球貸機の操作により遊技球を借りたとき
ｅ）連チャン大当りが発生した場合
これは、連チャン大当りが発生しても遊技不能状態てあると、いわゆるパンクしてしまうからである。なお、連チャン大当りが発生した場合の別の対応として、例えばアンラッキーナンバー図柄での大当り終了後、始動記憶の４個の判定が終了するまでは遊技不能状態にしない処理を行うようにしてもよい。そのようにすると、始動記憶内での連チャン大当りに適切に対処することができる。」
　
　記載事項１０；「【０１２６】一方、上記ステップＳ５０２で遊技再開条件が成立している場合、すなわちアンラッキーナンバー図柄での大当り終了後、所定時間が経過したとき、パチンコ機内の再開操作（例えば、係員によるキー入力）が行われたとき、管理室からの再開指令があったとき、遊技者が球貸機を操作して遊技球を借りたときあるいは連チャン大当りが発生した場合の何れか１つが成立したときには、ステップＳ５１０に進んでアンラッキーＮＯ．フラグをリセットする。これは、大当り処理のステップＳ２３６でセットされたアンラッキーＮＯ．フラグをリセット処理するもので、例えばＣＰＵ３０１を一旦リセット（例えば、係員による手動リセット）することで行ってもよいし、あるいはアンラッキーＮＯ．フラグのリセット端子に接続されたスイッチを設け、係員がそのスイッチを操作してリセット信号を供給するようにしてもよい。
【０１２７】次いで、ステップＳ５１２で遊技不能状態から復帰する処理を行う。これにより、入力の禁止および球の発射禁止が解除されるとともに、遊技不能化中の報知も停止する。その後、メインルーチンにリターンする。なお、ステップＳ５１２において遊技不能状態からの復帰を表示あるいは音声（又は表示と音声の両方）で報知するようにしてもよい。そのようにすると、遊技者は遊技を再開できることを容易に認識することができる。例えば、“遊技の再開が可能になりました。引き続き遊技をお楽しみ下さい”というようなメッセージにする。」
　
　前記摘示の記載によれば、引用例２には、以下の発明（以下、「引用発明２」という。）が記載されているものと認められる。
　「アンラッキーナンバー図柄により遊技を不能化し、遊技再開条件が成立している場合、遊技不能状態からの復帰を、“遊技の再開が可能になりました。引き続き遊技をお楽しみ下さい”というメッセージの表示で報知し、遊技者は遊技を再開できることを容易に認識することができるようにしたパチンコ機。」
　
（４）対比
　本願補正発明と引用発明１を対比すると、引用発明１の「役物制御装置５００」は本願補正発明の「主制御手段」に対応し、以下同様に、「送られる信号」は「送信される制御信号」に、「賞品球の排出を行なう」は「遊技動作の制御を行う」に、「賞球排出制御装置６００」は「副制御手段」に、「パチンコ遊技機」は「遊技機」に各々対応し、引用発明１について次のことがいえる。
　
　引用発明１の「特別入賞検出器ＳＷ３からの信号に基づいて特別遊技状態を発生させる」構成について、記載事項２及び３を勘案すると、特別入賞検出器ＳＷ３からの信号が送られてくるか否かにより、特別遊技状態とするか否かを選び出すもの、即ち、抽選するものであり、さらに、記載事項１から、特別遊技状態が遊技者に有利な状態であることは明らかであるから、上記構成は、「遊技動作に関連する抽選を行って遊技者に有利な状態と不利な状態とを択一的に決定する抽選機能を有する」ものといえる。
　なお、変形例である「フィーバータイプの入賞装置を具える遊技機」（記載事項８）を引用発明１に採用した場合には、そのような遊技機において、主制御手段が「遊技動作に関連する抽選を行って遊技者に有利な状態と不利な状態とを択一的に決定する抽選機能を有する」ことは、当該技術分野において周知・慣用技術（必要ならば、特開平６−２４６０５０号公報、特開平８−２２９２２７号公報又は特開平１０−８５４２１号公報等を参照のこと。）であるから、引用発明１が、そのような構成を備えるものとなることは、当業者にとって自明なことともいえる。
　
　記載事項３から、賞球排出制御装置６００と役物制御装置５００は、別の制御基板に構成されていることが明らかであるから、引用発明１の賞球排出制御装置６００は、「この主制御手段とは別の制御基板に構成され」るものといえる。
　
　そうすると両者は、「遊技動作に関連する抽選を行って遊技者に有利な状態と不利な状態とを択一的に決定する抽選機能を有する主制御手段と、この主制御手段とは別の制御基板に構成され且つ主制御手段から送信される制御信号に応じた遊技動作の制御を行う副制御手段とを備えた遊技機。」で一致し、以下の点で相違する。
　
　相違点１；本願補正発明は、「停電により主電源が絶たれた後の復帰時に主電源が復帰したことを自動的に報知する報知手段」を備えるのに対して、引用発明１は、停電が発生して役物制御装置側のパワーダウン処理が実行され、停電発生時にパチンコ遊技機が通常の遊技状態となっていたときには通常遊技状態中に停電が発生した旨の表示を行なって、その後停電復帰すると通常遊技表示を終了する点。
　
　相違点２；報知手段について、本願補正発明は、「遊技再開を促す情報も報知する」のに対して、引用発明１は、そのように構成されていない点。
　
　相違点３；本願補正発明は、「報知手段による報知開始からの経過時間を計時するタイマーを有し、このタイマーにより所定時間を計時したときに自動的に前記報知手段に前記の報知を停止させる報知停止手段」を備えるのに対して、引用発明１は、そのように構成されていない点。
　
（４）判断
　相違点１について
　引用発明１は、停電により主電源が絶たれた後、通常遊技状態中に停電が発生した旨の表示を行なって、その後停電復帰すると通常遊技表示を終了するのだから、遊技者は、通常遊技表示の終了により、主電源が復帰したことを間接的に知り得ることが明らかであり、記載事項６を勘案すれば、通常遊技表示の終了が自動的であることも明らかである。
　ところで、停電から復帰したことを、直接的に報知することは、各種の分野における周知・慣用技術（必要ならば、特開平４−２０５００５号公報、特開平６−２６３１９８号公報又は特開平８−６６７８号公報等を参照のこと。）である。
　してみれば、引用発明１においても、そのような周知・慣用技術を採用し、「停電により主電源が絶たれた後の復帰時に主電源が復帰したことを自動的に報知する報知手段」を備えるようにすることは、当業者が容易に想到できることである。
　
　なお、引用発明１は、パチンコ遊技機が停電発生時に通常遊技状態と判断されたときに報知が成されるが、補助遊技状態又は特別遊技状態のときには、発射モータ１５１の作動開始後に、停電時の遊技表示を終了させる点について、引用例１には、「即ち停電発生時にパチンコ遊技機が補助遊技状態、特別遊技状態の何れかの遊技状態であったときにはステップＳ３０３８に進んで、この時点で発射モータ１５１が作動（ＯＮ）しているか否かが判別される。…
　次いでステップＳ３０４４にて補助遊技状態又は特別遊技状態の再現を発射モータ１５１の作動開始後所定時間（遊技球が発射された後入賞口に到達するまでの時間に相当する時間）が経過するまで保留するためのウェイトタイマを所定値（例えば２ｓｅｃ）に設定して、今回ループの処理を終了する。…
　この結果、補助遊技状態又は特別遊技状態の途中に停電が発生して当該遊技状態が中断した場合であっても、停電復帰後所望のタイミング（復旧後初めて発射された遊技球が遊技盤３００の入賞口近傍に達するタイミング）で、停電前の遊技状態が再現されることになる。」（記載事項８）と記載されており、この記載によれば、補助遊技状態又は特別遊技状態であったときには、その再現を、発射モータ１５１の作動開始後に遊技球が発射され、入賞口に到達するまでの時間が経過するまで保留するウェイトタイマを設定するために、停電時の遊技表示を終了が、発射モータ１５１の作動開始後となっているものであるが、補助遊技状態又は特別遊技状態の再現を保留することは、引用発明１との関連において任意付加的な構成と認められ、そのような構成を削除し、保留せずに遊技状態を再現することも、当業者にとって格別創意工夫を要することではなく、この点が、上記した周知・慣用技術の採用を阻害する要因とはいえない。
　
　相違点２について
　引用発明２の“遊技の再開が可能になりました。引き続き遊技をお楽しみ下さい”というメッセージの表示は、「遊技再開を促す情報」ということができ、また、アンラッキーナンバー図柄による遊技不能状態と停電により主電源が絶たれた状態は、共に遊技不能状態ということができ、パチンコ機において遊技者に対して報知する技術として共通する引用発明２を、引用発明１に適用することは当業者が容易に想到できることである。
　
　相違点３について
　一般に、報知手段に複数の報知情報を報知するならば、報知されている情報を、何等かの条件を契機として停止させることは、当業者が当然考慮すべき設計事項であり、契機とする条件として、報知開始から経過時間をタイマーにより検出し、報知を停止させることは、周知・慣用技術（必要ならば、特開平１０−１８８１８８号公報（段落００４１）、特開平１０−１５４２７６号公報（段落０００９）、又は、特開平４−３３７８２８号公報等を参照のこと。）であるから、引用発明１においても、そのような周知技術を採用することは、当業者が設計的に成し得ることである。
　してみれば、引用発明１においても、「報知手段による報知開始からの経過時間を計時するタイマーを有し、このタイマーにより所定時間を計時したときに自動的に前記報知手段に前記の報知を停止させる報知停止手段」を備えさせることは、当業者が容易に想到できることである。
　
　作用効果について
　本願補正発明の作用効果も、引用発明１及び２並びに周知・慣用技術から当業者が予測できる域を超えるものではない。
　
　したがって、本願補正発明は、引用発明１及び２並びに周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１６年１月２１日付けの手続補正は上記のとおり却下されたので、本願の請求項１乃至６に係る発明は、平成１５年９月３日付け手続補正書の特許請求の範囲の請求項１乃至６に記載されたとおりのものと認められるところ、その請求項１に記載された発明（以下「本願発明」という。）は次のとおりである。
　「遊技動作に関連する抽選を行って遊技者に有利な状態と不利な状態とを択一的に決定する抽選機能を有する主制御手段と、この主制御手段とは別の制御基板に構成され且つ主制御手段から送信される制御信号に応じた遊技動作の制御を行なう副制御手段とを備えた遊技機において、
　停電により主電源が断たれた後の復帰時に主電源が復帰したことを報知する報知手段と、
  前記報知手段による報知開始からの経過時間を計時するタイマーを有し、このタイマーにより所定時間を計時したときに自動的に前記報知手段に前記の報知を停止させる報知停止手段と、
　を備えたことを特徴とする遊技機。」
　
（１）引用例１に記載の発明
　原査定の拒絶の理由に引用された、本願の出願の日前である平成３年１１月５日に頒布された特開平３−２４７３７６号公報は、前記２．（２）において記載した引用例１と同一文献であって、この引用例１の記載事項及び該記載事項に基づいて認定される発明（以下、「引用発明１」という。）は、前記したとおりのものである。
　
（２）対比
　本願発明は、前記２．で検討した本願補正発明の「停電により主電源が絶たれた後の復帰時に主電源が復帰したことを自動的に報知するとともに、遊技再開を促す情報も報知する報知手段」を、「停電により主電源が断たれた後の復帰時に主電源が復帰したことを報知する報知手段」と変更するものであるが、前者の「自動的に報知するとともに、遊技再開を促す情報も報知する」から「自動的に報知するとともに、遊技再開を促す情報も」との限定を削除するものある。
　
　そこで、本願発明と引用発明１を対比すると、「遊技動作に関連する抽選を行って遊技者に有利な状態と不利な状態とを択一的に決定する抽選機能を有する主制御手段と、この主制御手段とは別の制御基板に構成され且つ主制御手段から送信される制御信号に応じた遊技動作の制御を行なう副制御手段とを備えた遊技機。」で一致し、以下の点で相違する。
　
　相違点Ａ；本願発明は、「停電により主電源が絶たれた後の復帰時に主電源が復帰したことを自動的に報知する報知手段」を備えるのに対して、引用発明１は、停電が発生して役物制御装置側のパワーダウン処理が実行され、停電発生時にパチンコ遊技機が通常の遊技状態となっていたときには通常遊技状態中に停電が発生した旨の表示を行なって、その後停電復帰すると通常遊技表示を終了する点。
　
　相違点Ｂ；本願発明は、「報知手段による報知開始からの経過時間を計時するタイマーを有し、このタイマーにより所定時間を計時したときに自動的に前記報知手段に前記の報知を停止させる報知停止手段」を備えるのに対して、引用発明１は、そのように構成されていない点。
　
（３）判断
　相違点Ａ及びＢについて
　相違点Ａ及びＢは、前記２．で検討した相違点１及び３と各々同一であり、「自動的に報知するとともに、遊技再開を促す情報も報知する」から「自動的に報知するとともに、遊技再開を促す情報も」との限定を削除したことにより、前記２．でした判断が影響を受けるものとは認められないから、相違点１及び３で検討したと同様の理由により、当業者が引用発明１及び周知・慣用技術から容易に想到できることである。
　
　作用効果について
　本願発明の作用効果も、引用発明１及び周知・慣用技術から当業者が予測できる域を超えるものではない。
　
（３）むすび
　以上のとおり、本願発明は、引用発明１及び周知・慣用技術に基いて、当業者が容易に発明をすることができたものであるから、他の請求項について検討するまでもなく、本願は、特許法第２９条第２項の規定により特許を受けることができない。
　よって、結論のとおり審決する。